(57)【特許請求の範囲】
【請求項１】
家具又は家庭用器具用のヒンジ(４)であって、
側部(５)を有して、該側部上にヒンジ部(７)が少なくとも１つのガイドレバー(８)によって回転可能に取り付けられ、
回転可能な駆動要素(１１)を有してバネによって開始位置に予め張力を架けられた減衰デバイスが配備され、
閉鎖減衰用の駆動要素(１１)の第１の駆動領域(１８)は、ヒンジ(４)の閉鎖時に駆動されるヒンジにおいて、
前記駆動要素(１１)は開き減衰用に第２の駆動領域(２０)を有しており、
前記駆動要素(１１)は閉鎖減衰時と開き減衰時で同じ方向に動かされる、ヒンジ(４)。
【請求項２】
前記駆動要素は、ヒンジ部(７)上にて軸(１７)の回りを回転可能に取り付けられ、第１の駆動領域(１８)を有する第１のアーム(１９)と、第２の駆動領域(２０)を有する第２のアーム(１４)を有する、請求項１に記載のヒンジ。
【請求項３】
前記第１のアーム(１９)と第２のアーム(１４)とは、回転軸(１７)に対して少なくとも３０°だけ互いに離れて配列された、請求項２に記載のヒンジ。
【請求項４】
前記ガイドレバー(８)は閉鎖減衰時に駆動要素(１１)の第１の駆動領域(１８)に係合する第１の接触領域(２２)を有し、前記ガイドレバー(８)は開き減衰時に駆動要素(１１)の第２の駆動領域(２０)に係合する第２の接触領域(２１)を有する、請求項１乃至３の何れかに記載のヒンジ。
【請求項５】
第２の接触領域(２１)がヒンジ部(７)内にてガイドレバー(８)の軸(１６)に隣接して、ガイドレバー(８)の片持ちレバー(１５)上に配備された、請求項１乃至４の何れかに記載のヒンジ。
【請求項６】
前記開き減衰は、最大の開き位置の前の少なくとも１０°の角度範囲に亘る、請求項１乃至５の何れかに記載のヒンジ。
【請求項７】
前記減衰デバイスは、回転ダンパを備える、請求項１乃至６の何れかに記載のヒンジ。
【請求項８】
前記ヒンジ部(７)内にカップ形の容器(１０)が形成され、該容器内に回転可能な駆動要素(１１)が配置される、請求項１乃至７の何れかに記載のヒンジ。
【請求項９】
前記開き減衰は、最大の開き位置の前の少なくとも２０°の角度範囲に亘る、請求項１乃至５の何れかに記載のヒンジ。
【発明の詳細な説明】
【技術分野】
【０００１】
本発明は、家具又は家庭用器具用の側部を有するヒンジに関し、ヒンジ部が少なくとも１つのガイドレバーによって回転可能に取り付けられ、回転可能な駆動要素を有してバネによって開始位置に予め張力を架けられた減衰デバイスが配備され、閉鎖減衰用の駆動要素の第１の駆動領域はヒンジの閉鎖時に駆動される。
【背景技術】
【０００２】
国際公開2009/124332号は、ヒンジ用の減衰デバイスを開示し、回転ダンパ上で作動する回転可能な駆動要素がヒンジカップ上に配備されている。駆動要素は減衰完了後に、次の減衰ストローク用に開始位置に動かされ、駆動要素の回復ストロークは減衰力を変えることが出来るように設定可能である。減衰力はこのように閉鎖減衰用に設定される。しかし、ドアの素早い開き動作時にヒンジが高負荷を受け、損傷に帰するとの問題が存在する。
【０００３】
従って、本発明の目的は、ドアが閉鎖動作時及び開き動作時の両方にてドアが減速される家具又は家庭用器具用のヒンジを提供することにある。
【発明の概要】
【０００４】
この目的は請求項１の特徴を有するヒンジを備えて達成される。
本発明に従ったヒンジは、回転可能な駆動要素を有する減衰デバイスを備え、閉鎖減衰用の駆動要素の第１の駆動領域は、ヒンジの閉鎖時に駆動され、駆動要素は開き減衰用に第２の駆動領域を有する。減衰デバイスは、このように開き減衰と閉鎖減衰の両方に用いられる。特に、ドアの素早い動作時に、閉方向及び開方向に減速が実行され、大きな打撃ノイズを避け、ドアの素早い動作による損傷のリスクを減じる。
【０００５】
駆動要素は、閉鎖減衰時と開き減衰時にて同じ方向に動かされるのが好ましい。開き減衰と閉鎖減衰について同じ減衰機構が用いられ得て、駆動要素は２つの動作の間にて、開始位置にバネによって予め張力が架けられている。これにより、生産を著しく高価にする２つの別個の減衰デバイスが配備されることを避ける。
【０００６】
１つの好ましい実施形態に従って、駆動要素はヒンジ部の軸の周りに回転可能に取り付けられ、第１の駆動領域を有する第１のアームと第２の駆動領域を有する第２のアームを有する。第１のアームと第２のアームとは、駆動要素の回転軸に対して少なくとも３０°、好ましくはこの場合少なくとも９０°だけ互いに離れて配列されている。従って、駆動要素は２つのアームレバーとして構成され、各場合において異なるアーム上に駆動領域を有している。駆動要素はまた成形部分として構成されるが、駆動領域は配備されない。
【０００７】
ガイドレバーは、閉鎖減衰時に駆動要素の第１駆動領域と係合する第１の接触領域を有するのが好ましい。ガイドレバーは更に、開き減衰時に駆動要素の第２駆動領域と係合する第２の接触領域を有する。この場合、接触領域はガイドレバー上にて互いに離れており、特に第２の接触領域はヒンジ部のガイドレバーの軸に隣接してガイドレバーの片持ちレバー上に配置される。
【０００８】
効果的な開き減衰の為に、開き減衰は最大の開き位置の前に少なくとも１０°の角度範囲で動作し、特に少なくとも２０°の角度範囲で動作する。例えば、この場合、最大の開き位置は８０°と１２０°の間であり最大の開き位置の位置により、ヒンジの開き減衰が始まる。少なくとも２０°に亘る減衰は、最大の開き位置の前の十分な減速を確実にする。
【０００９】
コンパクトな構成について、減衰デバイスは回転ダンパを備えることが出来る。勿論、駆動要素は例えば摩擦ダンパ又は線形ダンパのような他のタイプのダンパに連結することも可能である。
１つの有利な実施形態において、カップ形の容器がヒンジ部に形成され、該容器内に回転可能な駆動要素が配置される。特に開き減衰及び閉鎖減衰用のコンパクトな構成がこのように帰結する。
【図面の簡単な説明】
【００１０】
本発明は添付の図面を参照して、例示的な実施形態に基づいて以下により詳細に説明される。
【図１】図１は、本発明に従った２つのヒンジを備えた家具要素を示す。
【図２Ａ】図２Ａは、図１のヒンジの側面を示す。
【図２Ｂ】図２Ｂは、図１のヒンジの側面を示す。
【図３】図２のヒンジの詳細な図を示す。
【発明を実施するための形態】
【００１１】
家具の要素１は、キャビネット形の家具本体２を備え、該家具本体上にドア３が回転可能に取り付けられる。２つのヒンジ４はこの目的から家具本体２の側壁上に配備される。
各ヒンジ４は側部５を備え、該側部５は取付け板６を介して家具本体２上に固定される。ヒンジ部７が２つの離れたガイドレバー８を介して側部５に回転可能に取り付けられる。回転可能なドア３はヒンジ部７上に保持される。
【００１２】
ヒンジ４の１つは図２Ａ及び図２Ｂに詳細に示される。１つのガイドレバー８は側部５上の軸９の回りを回転可能に取り付けられる。反対側では、ガイドレバー８はヒンジ部７上で回転可能に配置され、回転可能な駆動要素１１が配置されたカップ形の容器１０がヒンジ部７に形成されている。駆動要素１１がホルダ１２上に配置され、回転ダンパを有する。駆動要素１１はこの場合、回転可能に取り付けられ、開始位置に予め張力を架けられる。ヒンジ４が閉鎖位置に動くと、駆動要素１１上の第１の駆動領域１８がガイドレバー８上の接触領域２２に係合して、駆動要素１１は回転し、従って閉鎖動作は減衰され及び/又は減速される。減衰が完了してドア３が開いた後に、駆動要素１１はバネによって開始位置に再び予め張力を架けられ、次の減衰ストロークに備えて移動可能である。
【００１３】
スイッチ１３がホルダ１２上に配備されて、該スイッチによって駆動要素１１の回復ストロークは公知の方法で設定可能である。
【００１４】
閉鎖減衰に加えて、ヒンジ４上で開き減衰が実行され、この目的から図３に示すように、第２の駆動領域２０が駆動要素１１上に配備される。駆動要素１１は２つのアームレバーとして基本的に構成され、第１の駆動領域１８が配備された第１のアーム１９を有する。更に、第２のアーム１４が配備されて、該第２のアーム１４は駆動要素１１の回転軸１７に対して第１のアーム１９に関して９０°以上離れて整列され、第２の駆動領域２０がその上に配備される。
【００１５】
ガイドレバー８がヒンジ部７上の軸１６の回りに回転可能に取り付けられ、軸１６と軸９の間の領域に接触領域２２を有して、閉鎖動作時に駆動要素１１を動かす。更に、片持ちレバー１５がガイドレバー８上にてヒンジ部７上の軸１６に隣接して形成され、片持ちレバーはガイドレバー８から角度を以て突出し、片持ちレバー上に第２の接触領域２１が配備され、該第２の接触領域２１は開き動作時に駆動要素１１上の駆動領域２０に係合する。ヒンジが更に開き方向に動かされると、ガイドレバー８は点線位置８’に回転され、駆動要素１１は図３の反時計方向に点線で示すように回転される。第１のアーム１９’及び第２のアーム１４’は従って、ヒンジ４が所定の開き位置に配置されると、軸１７の回りに回転される。同じ減衰デバイスを用いて、閉鎖減衰と開き減衰の両方が生じる。
【００１６】
開き減衰は、最大の開き位置の前の少なくとも１０°の角度範囲で少なくとも生じ、特に開き減衰は最大の開き位置の前で、２０°と３０°の範囲で開始するのが好ましい。ドア３が開き減衰の後に、閉鎖位置に戻されると、先ず片持ちレバー１５が駆動要素１１の第２のアーム１４との係合を解除し、駆動要素１１はバネの戻り力によって開始位置に動かされる。ガイドレバー８の第１の接触領域２２は第１のアーム１９上の第１の駆動領域１８に続いて係合するのみである。
【００１７】
示された実施形態において、回転ダンパは駆動要素１１の動きを減衰するのに用いられる。勿論、回転ダンパに代えて摩擦ダンパ又は線形ダンパを用いることも可能である。
更に、減衰デバイスは、駆動要素１１の減衰ストロークを設定することが出来るように調整機構を有し得る。
【符号の説明】
【００１８】
１    家具の要素
２    家具本体
３    ドア
４    ヒンジ
５    側部
６    取付け板
７    ヒンジ部
８、８’ ガイドレバー
９    軸
１０  容器
１１  駆動要素
１２  ホルダ
１３  スイッチ
１４、１４’アーム
１５  片持ちレバー
１６  軸
１７  軸
１８  駆動領域
１９、１９’アーム
２０  駆動領域
２１  接触領域
２２  接触領域
【図１】
0006573662.tif 000002
【図２Ａ】
0006573662.tif 000003
【図２Ｂ】
0006573662.tif 000004
【図３】
0006573662.tif 000005